(57)【要約】【課題】床面からの高さが低く、しかも床面への施工が簡単な上吊り引き戸の振れ止め装置を提供する。【解決手段】出入口を開閉する上吊り引き戸Ｄの下面に引き戸Ｄの開閉方向に延びるガイド溝１を形成し、ガイド溝１の頂壁面２Ｌ、２Ｍ、２Ｒにガイド溝１の長さ方向に連続して磁石５、６を設け、引き戸Ｄの下面と向き合う床面Ｆに扁平な支持ベース７を固定し、その支持ベース７に、磁石５、６による吸引により起き上がってガイド溝１内にはまり込むガイド部材１０を起伏自在に設け、起き上がったガイド部材８、９でガイド溝１を案内し、ガイド部材１０は磁石５、６に吸引されない位置で倒伏するようにした上吊り引き戸の振れ止め装置。【選択図】図１
2006188904.tif 000002
【特許請求の範囲】
【請求項１】
出入口を開閉する上吊り引き戸の下面にその引き戸の開閉方向に延びるガイド溝を形成し、そのガイド溝の頂壁面に前記ガイド溝の長さ方向に連続して磁石を設け、前記引き戸の下面と向き合う床面に扁平な支持ベースを固定し、その支持ベースに、前記磁石による吸引により起き上がって前記ガイド溝内にはまり込むガイド部材を起伏自在に設け、起き上がった前記ガイド部材で前記ガイド溝を案内し、前記ガイド部材は前記磁石に吸引されない位置で倒伏するようにした上吊り引き戸の振れ止め装置。
【請求項２】
前記ガイド溝の端部の頂壁面を終端が低い斜面となし、その斜面に前記磁石を配置した請求項１に記載の上吊り引き戸の振れ止め装置。
【請求項３】
前記ガイド部材が、前記支持ベースに一端を回動可能に連結したガイド板と、そのガイド板の他端に回動可能に連結した磁性板とからなる請求項２に記載の上吊り引き戸の振れ止め装置。
【請求項４】
前記ガイド板が磁性体からなる請求項３に記載の上吊り引き戸の振れ止め装置。
【発明の詳細な説明】
【技術分野】
【０００１】
この発明は、上吊り引き戸の振れを防止する上吊り引き戸の振れ止め装置に関する。
【背景技術】
【０００２】
従来、上吊り引き戸の振れ止め装置として、図１０（ａ）に示すように、引き戸Ｄの開閉方向に延びるガイド溝３０を形成したガイドレール３１を床面Ｆに固定し、そのガイド溝３０で引き戸Ｄの下部を案内して引き戸Ｄの振れを防止するものが知られている。また、図１０（ｂ）に示すように、引き戸Ｄの下面にその開閉方向に延びるガイド溝４０を形成し、このガイド溝４０を、床面Ｆに固定したガイド突起４１の頭部で案内して引き戸の振れを防止するものが知られている。
【０００３】
しかし、これらの案内装置はいずれも、ガイドレール３１やガイド突起４１が床面Ｆから突出しているので、その突出部分が歩行者のつまずく原因や車椅子での通行の障害となり、高齢者や障害者への対応が十分でなかった。
【０００４】
そこで、図１０（ｃ）に示すように、引き戸Ｄの進行方向に延びるガイドレール５０を床面Ｆに埋め込み、このガイドレール５０で、引き戸Ｄの下面に固定したガイド突起５１を案内して引き戸Ｄの振れを防止するものが提案されているが、床面Ｆにガイドレール５０を埋め込む施工がコスト高であり面倒である。
【発明の開示】
【発明が解決しようとする課題】
【０００５】
この発明が解決しようとする課題は、床面からの高さが低く、しかも床面への施工が簡単な上吊り引き戸の振れ止め装置を提供することである。
【課題を解決するための手段】
【０００６】
上記の課題を解決するために、出入口を開閉する上吊り引き戸の下面にその引き戸の開閉方向に延びるガイド溝を形成し、そのガイド溝の頂壁面に前記ガイド溝の長さ方向に連続して磁石を設け、前記引き戸の下面と向き合う床面に扁平な支持ベースを固定し、その支持ベースに、前記磁石による吸引により起き上がって前記ガイド溝内にはまり込むガイド部材を起伏自在に設け、起き上がった前記ガイド部材で前記ガイド溝を案内し、前記ガイド部材は前記磁石に吸引されない位置で倒伏するようにした上吊り引き戸の振れ止め装置を提供する。
【０００７】
この振れ止め装置は、次の構成を加えるとより好ましいものとなる。
１）前記ガイド溝の端部の頂壁面を終端が低い斜面となし、その斜面に前記磁石を配置する。
２）上記１）に加えて、前記ガイド部材を、前記支持ベースに一端を回動可能に連結したガイド板と、そのガイド板の他端に回動可能に連結した磁性板とで構成する。
３）上記１）２）に加えて、前記ガイド板を磁性体で構成する。
【発明の効果】
【０００８】
ガイド部材は、磁石に吸引されない位置にあるときに倒伏して、床面からの高さが低くなるので、通行の障害とならない。また床面への施工は、支持ベースを床面に固定するだけなので容易である。
【発明を実施するための最良の形態】
【０００９】
図１に、この発明の振れ止め装置の実施形態を示す。この装置は上吊り引き戸Ｄと床面Ｆに取り付けて、その引き戸Ｄの振れを防止するものである。
【００１０】
引き戸Ｄの下面には、図１に示すように、引き戸Ｄの開閉方向に延びるガイド溝１が形成されている。このガイド溝１の一方の端部の頂壁面２Ｌは傾斜しており、終端３Ｌが低い斜面となっている。また、この斜面には永久磁石５が埋め込まれている。傾斜した頂壁面２Ｌの形成および永久磁石５の設置は、図に示すように斜面に永久磁石５を組み込んだコーナ部材４を引き戸Ｄのコーナに取り付けて行なうと、施工が容易となり好ましい。
【００１１】
ガイド溝１の他方の端部の頂壁面２Ｒも頂壁面２Ｌと同様に傾斜しており、その斜面に永久磁石５が埋め込まれている。頂壁面２Ｌと２Ｒを介する中間部の頂壁面２Ｍは水平となっており、この頂壁面２Ｍに、ガイド溝１の長さ方向に延びる永久磁石６が取り付けられている。
【００１２】
床面Ｆには、引き戸Ｄの下面と向き合う位置に支持ベース７が固定されており、支持ベース７には、ガイド板８と磁性板９とからなるガイド部材１０が起伏自在に支持されている。ガイド板８の一端は、引き戸Ｄの開閉方向と直角かつ水平な第１ヒンジ軸１１を中心として回動可能に支持ベース７に連結されている。ガイド板８の他端には、磁性板９が第２ヒンジ軸１２を中心として回動可能に連結されている。ガイド板８の幅は、図２に示すようにガイド溝１の幅よりも小さくなっており、起き上がったガイド板８の先端部がガイド溝１にはまり込むようになっている。
【００１３】
支持ベース７は、図３（ａ）に示すように金属板の一端を折り返した扁平な形状をしており、この折り返し部１３で第１ヒンジ軸１１を支持する。支持ベース７には、図３（ｂ）に示すように上下に貫通する開口１４を形成して、この開口１４にガイド板８と磁性板９を格納可能とすると好ましい。このようにすれば、ガイド板８と磁性板９が床面Ｆの位置まで倒伏して、床面Ｆからの高さがより小さくなる。
【００１４】
支持ベース７には、図４に示すようにベースカバー１５が取り付けられている。ベースカバー１５は、支持ベース７の開口１４と折り返し部１３を除いた部分を覆うように形成されており、ベースカバー１５を装着することによる床Ｆからの高さの増加を最小限に抑えている。ベースカバー１５の周縁部１５Ａは、外端が低く傾斜しているので、歩行者の足が引っ掛かりにくく、また車椅子などでの通行が容易である。
【００１５】
つぎに、この振れ止め装置の動作を説明する。
【００１６】
引き戸Ｄを移動させると、図５（ａ）に示すように、永久磁石５、６がガイド板８と磁性板９の設置点に到達していない状態では、ガイド板８と磁性板９は倒伏したままであるが、図５（ｂ）に示すように、永久磁石５、６がガイド板８と磁性板９の設置点に到達すると、永久磁石５、６による吸引によってガイド板８と磁性板９が起き上がる。
【００１７】
このとき、ガイド溝１の端部に設けた永久磁石５は、ガイド溝１の中間部に設けた永久磁石６よりも低い位置にあるので吸着力がより強く作用し、ガイド板８と磁性板９を確実に起き上がらせる。ガイド板８と磁性板９が起き上がると、永久磁石６が磁性板９を吸着して、ガイド板８と磁性板９の起き上がった状態を保持する。このとき、磁性板９の全面が永久磁石６に吸着されるので、永久磁石６は、ガイド板８と磁性板９をガイド溝１内に安定して保持する。こうして起き上がったガイド板８と磁性板９はガイド溝１内に保持されて、引き戸Ｄの振れを防止する。
【００１８】
ガイド板８と磁性板９が図６（ａ）に示すようにガイド溝１の反対側の端に到達し、さらに引き戸Ｄを移動させると、図６（ｂ）、（ｃ）に示すようにガイド溝１からガイド板８と磁性板９が外れて倒伏する。このとき、ガイド溝１の端部の頂壁面２Ｒは終端３Ｒが低い斜面となっているので、ガイド板８と磁性板９を強制的に倒伏させる。
【００１９】
この振れ止め装置を用いれば、ガイド板８と磁性板９の設置点に磁石がないときはガイド板８と磁性板９が倒伏するので、床面Ｆからの高さが低く、通行の障害とならない。また床面Ｆへの施工は、支持ベース７を床面に固定するだけなので容易である。
【００２０】
ガイド板８は、床面に対して所定角度以上は起き上がることができないように支持ベース７に連結すると好ましい。このようにすれば、たとえば掃除機で吸い上げてもガイド板８が所定角度までしか起き上がらず、ガイド板８の反転を防止することができる。この所定角度は７０°以下に設定すると好ましい。
【００２１】
磁性板９は、ガイド板８に対して所定角度以上は下方に回動しないようにガイド板８に連結すると好ましい。このようにすれば、ガイド板８が大きく起き上がったときに磁性板９の先端が床面から離れるので、磁性板９の先端が床面に引っ掛かりにくく、ガイド板８および磁性板９の倒伏動作が安定する。この所定角度は、９０°以下に設定すると好ましい。
【００２２】
また磁性板９は、ガイド板８に対して所定角度以上は上方に回動しないようにガイド板８に連結すると好ましい。このようにすれば、掃除機で吸い上げてガイド板８および磁性板９を起き上がらせたときにも、ガイド板８および磁性板９は自重によって安定して元の位置に倒伏する。たとえばガイド板８を床面に対して７０°以上は起き上がらないように支持ベース７に連結した場合、この所定角度は２０°以下に設定すると好ましい。
【００２３】
ガイド板８と磁性板９は、支持ベース７に複数配置してもよく、たとえば図７に示すようにガイド溝の幅方向に２組並べて取り付けてもよい。２組取り付けると、図８（ａ）に示すように２列に配置した引き戸に使用することができる。
【００２４】
図８（ａ）に示すように、引き戸Ｄの開閉方向に沿って支持ベース７を複数配置する場合、支持ベース７は、ガイド溝１の長さＳよりも短い間隔Ｔで配置するとよい。このようにすれば、図８（ｂ）や（ｃ）に示すようにいずれの位置に引き戸Ｄがあっても、少なくとも１つのガイド部材がガイド溝内に保持されて、引き戸の振れを防止する。
【００２５】
ガイド板８は、鉄などの磁性体で形成すると好ましい。このようにすれば、図９に示すように、永久磁石５が磁性板９だけでなくガイド板８をも吸引するので、ガイド板８と磁性板９がより確実に起き上がる。
【００２６】
ガイド板８と磁性板９は、磁石による吸引により起き上がって前記ガイド溝１内にはまり込むものであれば他の部材に替えてもよく、たとえば一端を支持ベース７に回動可能に連結しかつ他端に磁石を組み込んだ可動板でもよい。
【００２７】
永久磁石５としては、たとえばフェライト磁石やネオジウム磁石など周知の磁石を用いることができる。
【００２８】
永久磁石６としては、ガイド溝１の長さ方向に延びるゴム磁石や、ガイド溝１の長さ方向に延びる磁性体に磁石を接触させて磁化したものを用いることができる。また、ガイド溝１の長さ方向に並べて配置した複数の永久磁石を用いてもよい。要は、ガイド部材１０をガイド溝１内に保持するものであればよい。
【００２９】
ガイド溝１の端部の頂壁面は、上記実施形態のように終端を低く傾斜させると好ましいが、傾斜させずに水平面としてもよい。
【図面の簡単な説明】
【００３０】
【図１】この発明の振れ止め装置の実施形態を示す正面視断面図
【図２】同上の装置の側面視断面図
【図３】（ａ）は同上の装置の支持ベースを横から見た図、（ｂ）は上から見た図
【図４】同上の装置の支持ベースにベースカバーを装着した状態を示す図
【図５】同上の装置の動作を説明する図であり、（ａ）は磁石がガイド部材の設置点に到達していない状態を示す図、（ｂ）は磁石がガイド部材の設置点に到達した状態を示す図
【図６】同上の装置の動作を説明する図であり、（ａ）はガイド部材がガイド溝の端に到達した状態を示す図、（ｂ）はガイド部材が倒伏する過程を示す図、（ｃ）はガイド部材が倒伏した状態を示す図
【図７】同上の装置の変形例を説明する図
【図８】引き戸の開閉方向に沿って支持ベースを複数配置した状態を示す図であり、（ａ）は出入口を閉鎖した状態を示す図、（ｂ）は引き戸を左右に寄せて出入口を開放した状態を示す図、（ｃ）は引き戸を片側に寄せて出入口を開放した状態を示す図
【図９】磁石がガイド板を吸引する状態を示す図
【図１０】従来の振れ防止装置を説明する図
【符号の説明】
【００３１】
１        ガイド溝
２Ｌ、２Ｍ、２Ｒ  頂壁面
３Ｌ、３Ｒ  終端
５、６    永久磁石
７        支持ベース
８        ガイド板
９        磁性板
１０      ガイド部材
Ｄ        引き戸
Ｆ        床面
【図１】
2006188904.tif 000003
【図２】
2006188904.tif 000004
【図３】
2006188904.tif 000005
【図４】
2006188904.tif 000006
【図５】
2006188904.tif 000007
【図６】
2006188904.tif 000008
【図７】
2006188904.tif 000009
【図８】
2006188904.tif 000010
【図９】
2006188904.tif 000011
【図１０】
2006188904.tif 000012